(57)【要約】【課題】留め置きプリントを用いることで印刷物の放置を防ぎセキュリティ性を向上させることが可能である。しかしながら、ユーザーが画像処理装置の前に行ってからユーザーの指示によって印刷を開始する方法では、印刷中は複写機の前でユーザーが待つことになり、不便を強いる。本発明は、上記の問題に鑑みてなされたものであり、当該システムにおいて、ユーザーの印刷待ち時間を軽減しつつ、印刷物の放置を防ぎセキュリティ性を確保することを目的とする。【解決手段】ユーザーが複写機の設置された部屋に入室するタイミングで印刷を開始することによって、ユーザーの印刷待ち時間を軽減しつつ、会議室等での印刷物の長時間の放置を防ぎセキュリティ性を確保できる。【選択図】  図５
2018132843.tif 000002
【特許請求の範囲】
【請求項１】
印刷要求を受けつけ印刷ジョブを保持する印刷サーバー（１０２）と、 部屋の出入り口に設けられユーザーのＩＤを読み取り可能なユーザーＩＤ読取装置（１０７）と、前記部屋の出入口を閉鎖するドア（１０８）と、前記部屋内に設置された画像処理装置（１０１）と、前記ユーザーＩＤ読取装置（１０７）、ドア（１０８）及び画像処理装置（１０１）が接続され、前記ユーザーＩＤ読取装置（１０７）からの情報に基づいて前記ドア（１０８）を制御しドアを開閉する入退室管理装置（１０６）と、前記入退室管理装置と他の装置の間の通信を仲介する入退室管理ＩＦ装置（１０５）を備えた印刷システムであって、前記入退室管理装置（１０６）は，前記ユーザーＩＤ読取装置（１０７）が入室するユーザーのユーザーＩＤを読み取った場合に前記入退室管理ＩＦ装置（１０５）を経由して前記印刷サーバー（１０２）にユーザーＩＤを通知する通知手段（５５２）を備え、通知を受けた前記印刷サーバーは、通知されたユーザーＩＤに紐付くユーザーの印刷ジョブを前記画像処理装置（１０１）に送信して印刷を開始する印刷開始制御手段（５２３）を備えることを特徴とする、印刷システム。
【請求項２】
請求項１に記載の印刷システムであって、さらに、共連れ、又はなりすましを検知可能なネットワークカメラ（１０９）を備え、共連れ、又はなりすましを検知した場合には印刷を実行しない判断手段（Ｓ６０８）を備えることを特徴とする、印刷システム。
【発明の詳細な説明】
【技術分野】
【０００１】
本発明は、印刷システム、及びプログラムに関する。
【背景技術】
【０００２】
一般的な会社やオフィスで利用されるＭＦＰ（Ｍｕｌｔｉ  Ｆｕｎｃｔｉｏｎ  Ｐｅｒｉｐｈｅｒａｌ：多機能周辺装置）に代表される画像処理装置は、コンピュータネットワークを介して複数のユーザーのパーソナルコンピュータに接続されている。また、複数のユーザーにより共有で利用されることが多い。
【０００３】
このような画像処理装置における課題として、ユーザーが印刷を実行した後、印刷物が放置されて、他のユーザーに印刷物を見られてしまい情報が漏えいするという問題がある。このようなセキュリティ上の課題を解決する手段として、特許文献１のような方法が考えられている。
【先行技術文献】
【特許文献】
【０００４】
【特許文献１】特開２０１０−２７７２３９号公報  特許文献１で示される方法では、入退室管理と複写機を連携させ、ユーザーが部屋を退出する際にジョブが未完了かどうか確認し、そうであればドアを開錠しないようにすることで、印刷物の放置を防ぎ、セキュリティを確保している。
【０００５】
一方で、特許文献１の方法では、ユーザー自身の居る部屋と違う部屋に存在する画像処理装置に対して印刷指示を出した場合が考慮されていない。例えば、会議室に存在する画像処理装置に対して、会議で使う資料の印刷を指示した場合は、会議室で出力された印刷物が放置されてしまう恐れがある。しかしながら、画像処理装置の利用形態の一つとして、印刷サーバーが複数のユーザーからの印刷ジョブを受け付け、それらの印刷ジョブの印刷データを印刷サーバー内に保存する印刷システムがある。
【０００６】
このシステムでは、各ユーザーの操作による画像処理装置からの印刷指示に応じて印刷サーバー内の印刷ジョブを実行する（留置きプリント）。このようなシステムを用いれば、ユーザーが自分の居る部屋と違う部屋に存在する画像処理装置に対して印刷指示を出した場合でも、ユーザーが画像処理装置を操作して目の前で印刷を実行することから、印刷物の放置を防ぐことが可能である。
【発明の概要】
【発明が解決しようとする課題】
【０００７】
前述の通り、留め置きプリントを用いることで印刷物の放置を防ぎセキュリティ性を向上させることが可能である。しかしながら、ユーザーが画像処理装置の前に行ってからユーザーの指示によって印刷を開始する方法であるため、印刷中は複写機の前でユーザーが待つことになり、不便を強いる。
【０００８】
本発明は、上記の問題に鑑みてなされたものであり、当該システムにおいて、印刷指示を出すユーザーが存在する部屋以外の部屋に設置された画像処理装置に印刷指示を出す場合に、ユーザーの印刷待ち時間を軽減する。また、印刷物の放置を防ぎセキュリティ性を確保する。
【課題を解決するための手段】
【０００９】
印刷要求を受けつけ印刷ジョブを保持する印刷サーバー（１０２）と、 部屋の出入り口に設けられユーザーのＩＤを読み取り可能なユーザーＩＤ読取装置（１０７）と、前記部屋の出入口を閉鎖するドア（１０８）と、前記部屋内に設置された画像処理装置（１０１）と、前記ユーザーＩＤ読取装置（１０７）、ドア（１０８）及び画像処理装置（１０１）が接続され、前記ユーザーＩＤ読取装置（１０７）からの情報に基づいて前記ドア（１０８）を制御しドアを開閉する入退室管理装置（１０６）と、前記入退室管理装置と他の装置の間の通信を仲介する入退室管理ＩＦ装置（１０５）を備えた印刷システムであって、前記入退室管理装置（１０６）は，前記ユーザーＩＤ読取装置（１０７）が入室するユーザーのユーザーＩＤを読み取った場合に前記入退室管理ＩＦ装置（１０５）を経由して前記印刷サーバー（１０２）にユーザーＩＤを通知する通知手段（５５２）を備え、通知を受けた前記印刷サーバーは、通知されたユーザーＩＤに紐付くユーザーの印刷ジョブを前記画像処理装置（１０１）に送信して印刷を開始する印刷開始制御手段（５２３）を備えることを特徴とする、印刷システム。 
【発明の効果】
【００１０】
本発明によれば、ユーザーがＭＦＰの設置された部屋に入室するタイミングで印刷を開始することによって、ユーザーの印刷待ち時間を軽減しつつ、会議室等での印刷物の長時間の放置を防ぎセキュリティ性を確保できる。
【図面の簡単な説明】
【００１１】
【図１】本発明の実施形態における印刷システムの全体図である。
【図２】本発明の実施形態における情報処理装置の構成を示すブロック図である。
【図３】本発明の実施形態における印刷サーバー、ＤＢサーバー、入退室管理ＩＦ装置、入退室管理装置の構成を示すブロック図である。
【図４】本発明の実施形態におけるネットワークカメラの構成を示すブロック図である。
【図５】本発明の実施形態におけるソフトウェア構成を示す図である。
【図６】本発明の実施形態における印刷サーバーのフローチャートである。
【図７】（ａ）本発明の実施形態におけるユーザー位置テーブルの例である。（ｂ）本発明の実施形態におけるＭＦＰ位置テーブルの例である。
【図８】（ａ）本発明の実施形態におけるイベント登録メッセージの例である。（ｂ）本発明の実施形態におけるイベント登録応答の例である。
【発明を実施するための形態】
【００１２】
以下、本発明を実施するための最良の形態について図面を用いて説明する。
［実施例１］
図１は、は本発明の印刷システムの構成例である。本システムはネットワーク１００を介して接続されるＭＦＰ１０１、印刷サーバー１０２、クライアントＰＣ１０３、ＤＢ（データベース）サーバー１０４、入退室管理ＩＦ装置１０５、ネットワークカメラ１０９、入退室管理装置１０６、カードリーダー１０７、ドア１０８から構成される。ネットワーク１００は各装置間で通信を行うための基盤である。ＭＦＰ１０１は印刷機能をそなえている。印刷サーバー１０２は、クライアントＰＣ１０３から印刷ジョブの実行依頼を受け付け、ＭＦＰ１０１にジョブの実行指示を出す。
【００１３】
入退室管理装置は入退室管理ＩＦ装置に繋がっており、また、カードリーダー、ドアは入退室管理装置に繋がっている。これらの接続は専用のラインで行われていても良いし、ネットワーク１００によって接続されていてもよい。ネットワークカメラ１０９は、共連れ検知機能を備えている。なお、各装置とサーバーは複数台あっても良い。
【００１４】
図２は本実施例のＭＦＰ１０１の機器構成図の一例である。本発明を制御するＣＰＵ２０１、ＣＰＵ２０１のワークエリアを提供するＲＡＭ２０２、画像を読み取る読取装置２０３、画像を印刷する印刷装置２０４、本発明のプログラムや様々な設定を記憶する記憶装置２０５（ＨＤＤやＮＶＲＡＭ等でもよい）が存在する。
【００１５】
さらに、ユーザーがコマンドの入力を行うユーザー入力装置２０６、画面表示を行うＵＩ表示装置２０７、他機器とネットワークによる通信を行うネットワーク装置２０８、メインバス２００により構成されている。尚、本実施例は特に断らない限り、ＭＦＰ１０１はＣＰＵ２０１がメインバス２００を介してＲＡＭ２０２、読み取り装置２０３、印刷装置２０４、記憶装置２０５、ユーザー入力装置２０６、ＵＩ表示装置２０７、ネットワーク装置２０８を制御する。また、タッチパネルディスプレイのようにＵＩ表示装置２０７がユーザー入力装置２０６を兼ねても良い。
【００１６】
図３は本実施例の印刷サーバー１０２、ＤＢサーバー１０４、入退室管理ＩＦ装置１０５、入退室管理装置１０６のハードウェア構成図の一例である。本発明を制御するＣＰＵ３０１、ＣＰＵ３０１のワークエリアを提供するＲＡＭ３０２、本発明のプログラム、設定を記憶する記憶装置３０３、他機器とネットワークによる通信を行うネットワーク装置３０４、メインバス３００により構成されている。尚、本実施例は特に断らない限り、ＣＰＵ３０１がメインバス３００を介してＲＡＭ３０２、記憶装置３０３、ネットワーク装置３０４を制御する。
【００１７】
図４は本実施例のネットワークカメラ１０９のハードウェア構成図の一例である。カメラの機能を制御するＣＰＵ４０１、ＣＰＵ４０１のワークエリアを提供するＲＡＭ４０２、撮像を行う撮像装置４０３、撮像したデータを符号化する符号化装置４０４、カメラを制御するプログラム、設定を記憶する記憶装置４０５、他機器とネットワークによる通信を行うネットワーク装置４０６、メインバス４００により構成されている。尚、本実施例は特に断らない限り、ＣＰＵ４０１がメインバス４００を介してＲＡＭ４０２、撮像装置４０３、符号化装置４０４、記憶装置４０５、ネットワーク装置４０６を制御する。
【００１８】
図５は本実施例における情報処理システム全体のソフトウェア構成を説明するための図である。図５に示す各機能部は、それぞれの機器が有しているＣＰＵ２０１／ＣＰＵ３０１／ＣＰＵ４０１が制御プログラムを実行することにより実現される。ＭＦＰ１０１は、通信部５１１、ジョブ受信部５１２、処理部５１３を有している。ジョブ受信部５１２は、通信部５１１を介して、印刷サーバー１０２から印刷指示を受け付ける。処理部５１３は受け付けた印刷指示を実行する。
【００１９】
印刷サーバー１０２は、イベント受信部５２１、ジョブ受信部５２２、処理部５２３、通信部５２４を有する。イベント受信部５２１は、ネットワークカメラ１０９及び、入退室管理ＩＦ装置１０５から、それぞれ、共連れ結果を通知するイベントと、ユーザーの入室を通知するイベントを、通信部５２４を介して受信する。ジョブ受信部５２２は、通信部５２４を介してクライアントＰＣ１０３からの印刷指示を受け付ける。印刷指示には、印刷データの他に、印刷を実行するＭＦＰを示す宛先が付随する。処理部５２３はクライアントＰＣ１０３上のプリンタドライバーから受信したジョブの制御を行う。
【００２０】
具体的には、受信したジョブを投入したユーザーが、印刷宛先のＭＦＰと同一の部屋にいるかどうかを、ＤＢサーバーから取得した情報から判断し、同一の部屋にいる場合は印刷を実行し、違う部屋にいる場合は待機してイベントの受信に従って印刷を実行する。待機をする場合、入退室ＩＦ装置１０５に対して、ジョブを投入したユーザーが、印刷宛先のＭＦＰが存在する部屋に入室、または部屋から退出したら通知を行うようにイベントを登録する。
【００２１】
さらにネットワークカメラ１０９に対して、ジョブを投入したユーザーが印刷宛先のＭＦＰが存在する部屋に入室した場合に、共連れが発生したかどうかを通知するようにイベントを登録する。処理部５２３は、待機中に入退室ＩＦ管理装置１０５からユーザーが入室の認証を通過したことを知らせるイベントを受信した場合、通信部５２４を介して、ＭＦＰ１０１にたいして印刷の準備を開始するように指示を出す。さらに、入退室管理ＩＦ装置１０５から、ユーザーが入室したことを知らせるイベントを受信した場合は、ネットワークカメラ１０９から共連れ結果のイベントを受信して、印刷を実行するかどうかを判断する。
【００２２】
共連れが発生していた場合はそのまま待機し、共連れが発生していない場合は印刷を開始するようにＭＦＰ１０１に指示を出す。待機を継続した場合は、再度入退室ＩＦ装置から通知があったときに、ＭＦＰ１０１に対して印刷指示を出す。通信部５２４は、印刷指示の受信、イベントの受信、印刷指示、及びイベント登録を、ネットワークを介して他の機器と行う。
【００２３】
ＤＢサーバー１０４は、通信部５３１と記憶部５３２を備える。通信部５３１は、ネットワークを通じて、他の機器からの処理要求受け付け、記憶部５３２に対する読み込み、書き込み処理を行う。記憶部５３２は、ユーザー位置テーブル７１０を保持しており、入退室管理ＩＦ装置からの通知に従って、この情報を更新する。また、記憶部５３２は、ＭＦＰとそのＭＦＰが置かれている場所を示すＭＦＰ位置テーブル７２０も保持している。そして、印刷サーバーからの問い合わせに従って、保持しているユーザー位置テーブルやＭＦＰ位置テーブルの情報を応答する。
【００２４】
入退室管理ＩＦ装置１０５は、処理部５４１、解析部５４２、通信部５４３を備える。入退室ＩＦ装置１０５は、入退室管理装置１０６とその他の機器がネットワークを通じてやり取りを行うためのインターフェースであり、外部からのイベント登録や入退室管理装置１０６の制御コマンドを受け付けて、入退室管理装置が有するＩＦに合わせたコマンドに翻訳して入退室管理装置１０６に指示を出す。また、入退室管理装置１０６からのイベントを受信し、他の機器が解釈可能な形式に変換してイベント通知を行う。
【００２５】
処理部５４１は、通信部５４３を介して、印刷サーバー１０２からイベント登録を受け付ける。解析部５４２が処理部５４１の依頼により、受け付けたイベント登録依頼を解析すると、処理部５４１は、通信部５４３を介して入退室管理装置１０６に指示を出す。解析部５４２は前述のように入退室管理装置と他の機器とのやりとりにおいてイベント登録、イベント通知などの解析、翻訳を行う。通信部５４３は、それらのイベント登録、イベント通知の送受信を行う。
【００２６】
入退室管理装置１０６は、カードリーダー１０７とドア１０８が接続されており、これらを制御する装置である。カードリーダー１０７からカード読み取りの通知があった場合に、そのユーザーがカードリーダーの設置されているゲートを通過可能かどうか（又は、入室、退室が可能かどうか）を判断し、通過可能である場合には、ドア１０８の開錠を行う。また、その際にドアを駆動させてドアを開けても良い。また、入退室管理装置１０６は、通信部５５１、処理部５５２、イベント受信部５５３を有しており、ユーザーの入退室に応じたイベントの制御を行う。
【００２７】
通信部５５１は、入退室ＩＦ装置とイベントの送受信を行う。処理部５５２は、入退室ＩＦ装置からの指示に従って、イベント制御を行う。印刷サーバー１０２から、指定ユーザーの認証／ドア通過に対して通知を行うようにイベント登録されている場合、ユーザーがカードリーダーによる認証をパスしたとき、及びドアを通過したときにそれぞれイベント通知を行う。なお、入退室管理ＩＦ装置と入退室管理装置は本実施例では分かれているが、１つの装置として存在してもよい。
【００２８】
ネットワークカメラ１０９は、撮像部５６１、符号株５６２、判別部５６３、通信部５６４を有する。ネットワークカメラ１０９には、共連れ検知機能が備わっており、外部機器からのイベント登録に従って、共連れを検知した場合に通知する機能を有する。撮像部５６１は、ドア１０８付近の画像を取得する。符号化部５６２では撮像部５６１で得られた画像を符号化する。判別部５６３は、撮像部５６１で得られた画像から共連れが発生していないかを判別する。通信部５６４は、外部からの指示に従って、符号化された画像データの送信や、イベントの送受信を行う。ネットワークカメラ１０９には、共連れ検知機能ではなく、なりすまし検知機能が搭載されていてもよいし、その両方が搭載されていてもよい。
【００２９】
図６は印刷サーバーの判断処理を表すフローチャート図である。本フローチャート図にて順に印刷システムで実施される処理の詳細説明を行う。まずユーザーがクライアントＰＣ１０３上プリンタドライバーを用いて、印刷サーバー１０２に対して印刷指示を行う。ステップＳ６０１では、印刷サーバーは前記印刷指示を受け付ける。この印刷指示には、どのユーザーが印刷指示を出したのかわかるようにユーザーを識別する識別子と、どのＭＦＰで印刷するのかという宛先情報が付随する。
【００３０】
ステップＳ６０２では、印刷サーバーは前記ステップＳ６０１で受け付けた印刷指示を出したユーザーが存在するエリアと、宛先となるＭＦＰの存在するエリアが同一かどうか判断する。このとき、印刷サーバー１０２はＤＢサーバー１０４から、ユーザー位置情報とＭＦＰ位置情報を取得する。同一エリアであった場合は、ステップＳ６０３に進む。同一エリアでない場合は、ステップＳ６０４に進む。
【００３１】
ステップＳ６０３では、印刷サーバー１０２は、前記ステップＳ６０１で受け付けた印刷指示に従って、宛先となるＭＦＰに対して印刷指示を出す。ステップＳ６０４では、印刷サーバーは、入退室管理ＩＦ装置１０５、及びネットワークカメラ１０９に対してイベントの登録を行う。入退室管理ＩＦ装置１０５、及びネットワークカメラ１０９に対するイベントの登録や、それらの装置からのイベント通知はＸＭＬ（Ｅｘｔｅｎｓｉｂｌｅ Ｍａｒｋｕｐ Ｌａｎｇｕａｇｅ）形式メッセージを、ＨＴＴＰプロトコルを用いて送受信することで行われる。イベントの登録、及び応答の例を図８（後述）に示す。
【００３２】
入退室管理ＩＦ装置に対して登録するイベントは、印刷指示を出したユーザーが宛先であるＭＦＰ１０１が存在する部屋に入室、及び入室のための認証を実施した場合に、入退室管理ＩＦ装置が印刷サーバー１０２に通知を行うものである。また、ネットワークカメラ１０９に対して登録するイベントは、ネットワークカメラ１０９がユーザーの入室を検知した場合に、共連れが発生しているかどうかを判断して印刷サーバー１０２に通知するものである。ただし、イベント登録のメッセージ形式と送信プロトコルはこれに限定するものではなく、イベント登録が実行できれば他の形式と他のプロトコルでもよい。
【００３３】
印刷サーバー１０２は、イベント登録完了後、イベント通知を受信するまで待機状態となる。ステップＳ６０５では、印刷サーバー１０２は、入退室管理ＩＦ装置１０５から、ユーザーがＭＦＰの存在する部屋への認証をパスしたことを知らせるイベント通知を受け付ける。すなわち、カードリーダー１０７がユーザーの認証カードを読み取り、入退室管理装置１０６がそのユーザーに入室許可があることを確認し、印刷サーバー１０２に通知を行う。入退室管理装置１０６が行う入室許可の確認は、入退室管理装置１０６に記憶されている許可情報を参照してもよいし、ＤＢサーバー１０４が許可情報を保持しておきＤＢサーバーに問い合わせても良い。
【００３４】
ステップＳ６０６では、印刷サーバー１０２は、ＭＦＰ１０１に対して、印刷の準備を始めるように指示する。具体的には、印刷サーバー１０２から印刷データを取得し、且つＭＦＰの印刷装置２０４の動作準備を行うように指示する。その後、印刷サーバー１０２は、さらなるイベントを受信するまで待機状態となる。ステップＳ６０７では、印刷サーバー１０２は、入退室管理ＩＦ装置１０５から、ユーザーが入室したかどうかを知らせるイベントを受け取り、入室結果を判断する。ユーザーが入室した場合は、Ｓ６０８に進む。ユーザーが入室しなかった場合は、ステップＳ６１２へ進み、ＭＦＰ１０１に対して印刷の準備をキャンセルするように指示する。
【００３５】
ステップＳ６０８では、ネットワークカメラ１０９から、共連れ結果を知らせるイベントを受信し、共連れかどうかを判断する。共連れが発生していた場合は、印刷サーバー１０２はイベントを受信するための待機状態となり、ステップＳ６０９へ進む。このとき、カードリーダーまたは、入退室管理装置１０６に付随する表示装置（不図示）は、ユーザーに対して、音や文字表示によって共連れが発生したことを知らせても良い。共連れが発生しなかった場合は、Ｓ６１０へ進む。
【００３６】
ステップＳ６０９では、入退室管理ＩＦ装置１０５から、ユーザーが認証をパスしたことを知らせるイベントを受信する。これはユーザーが再度カードリーダー１０７に認証カードをかざしたことを示す。このように、本実施例では、ユーザーが再度カードリーダーに認証カードをかざして認証をパスすることによって、共連れ発生時でもユーザーの意思で印刷を開始できる。しかし、この印刷開始のトリガーは、認証ではなく、カードリーダー１０７に付随するタッチパネル（不図示）の操作など、他の方法でも良い。
【００３７】
ステップＳ６１０では、印刷サーバー１０２は、ＭＦＰ１０１に対して印刷を指示する。ステップＳ６１０では、印刷サーバー１０２は、入退室管理ＩＦ装置１０５、及びネットワークカメラ１０９に対して、イベント解除を行う。イベント解除は登録と同様に、印刷サーバー１０２が入退室管理ＩＦ装置１０５、及びネットワークカメラ１０９に対してＸＭＬ形式のメッセージを、ＨＴＴＰプロトコルを用いて送信することによって行われる。ただしネットワークカメラに対するイベント解除は、共連れ結果イベント受信後のどのタイミングでもよく、このタイミングより早い段階でイベント解除を行っていても良い。
【００３８】
図７（ａ）は、ユーザー位置テーブルの例である。ユーザー位置テーブル７１０には、ユーザーとそのユーザーが現在どこにいるかという情報が、ユーザーごとに保存されている。ユーザーテーブル７１０は、ユーザーの入退室に従って、入退室管理装置１０６から入室管理ＩＦ装置１０５を経由してイベントを受け取り、リアルタイムで更新される。
【００３９】
図７（ｂ）は、ＭＦＰ位置テーブルの例である。ＭＦＰ位置テーブル７２０には、ＭＦＰの識別子とそのＭＦＰがどこに設置されているかという情報が、ＭＦＰごとに保存されている。この情報は、ＭＦＰの設置時にあらかじめ設定されていても良いし、ＭＦＰからの通知や、その他デバイスからの探索などによって、動的に更新されても良い。
【００４０】
図８（ａ）は、印刷サーバー１０２が入退室管理ＩＦ装置１０５へ送るイベント登録依頼の例である。イベント登録依頼８１０にはエンドポイント８１１とフィルター８１２が含まれている。エンドポイント８１１は入退室管理ＩＦ装置１０５がイベントを通知する宛先である。フィルター８１２はイベント通知を発生させる条件である。フィルター８１２にはエリアフィールドと、ユーザーフィールドが含まれており、本例では、ユーザーＡがエリアＢに対して入退室を実施しようとした場合に通知を行うことを表している。
【００４１】
図８（ｂ）は、イベント登録依頼８１０に対するイベント登録応答の例である。イベント登録応答８２０には結果コード８２１が含まれており、ここにはイベント登録が成功したかどうかが記述されている。さらには、イベントの通知期限を設け、ある一定の期間の間だけイベントを通知するような場合には、イベント登録応答８２０に、イベントの通知期限（不図示）が記述されていても良い。
【００４２】
以上のように、印刷サーバーが入退室管理ＩＦ装置１０５からのイベントを受信することで、ユーザーのＭＦＰ１０１の存在する部屋への入室時に、印刷を開始することができる。これにより、ユーザーが印刷物を取得するために部屋を移動するタイミングで印刷が実行されるので、印刷物の長時間放置を防ぐことでセキュリティ性を向上させることができる。さらにはユーザーがＭＦＰの前に移動するまでに印刷が開始されるため、印刷待ち時間を軽減し利便性を向上させることができる。また、入室の際に共連れを検知した場合には、ＭＦＰ１０１のウォームアップ処理を継続しつつ、印刷待機状態にすることで利便性の低下を最小限にセキュリティ性を向上させることができる。
【００４３】
また、本実施例ではユーザーがクライアントＰＣ１０３から印刷指示を出す際に宛先となるＭＦＰ１０１を指定しているが、宛先を指定せずに、いずれかの部屋に入室した際にその部屋に存在するＭＦＰに対して自動で印刷指示を出すようにしても良い。
【符号の説明】
【００４４】
１００  ネットワーク
１０１  ＭＦＰ
１０２  印刷サーバー
１０３  クライアントＰＣ
【図１】
2018132843.tif 000003
【図２】
2018132843.tif 000004
【図３】
2018132843.tif 000005
【図４】
2018132843.tif 000006
【図５】
2018132843.tif 000007
【図６】
2018132843.tif 000008
【図７】
2018132843.tif 000009
【図８】
2018132843.tif 000010